(57)【特許請求の範囲】
【請求項１】
トラクタ後部に昇降自在にロータリ耕耘装置１０を装着し、該ロータリ耕耘装置１０のリアカバー７により耕深を検出し、ロータリ耕耘装置１０を昇降して耕深制御を行う構成において、
トラクタの機体後部にフィードバックリンク２３を枢支し、該フィードバックリンク２３に、前記リアカバー７に連接したフィードバックワイヤー２２の他端を連結し、前記フィードバックリンク２３の途中部に連結リンク２４の一端を枢支し、該連結リンク２４の他端にバネ２６を介してリアカバーセンサー１８のセンシングアーム１８ａに枢支し、
更に、前記センシングアーム１８ａの先端には、トラクタ側に支持される緩衝部材としてのダンパー２５を連結し、該ダンパー２５の油圧回路中に絞り弁３０を介装し、圃場内の稲株や耕土の硬さに合わせて該絞り弁３０を調整し、ダンパー２５の伸縮動作速度と緩衝する力とを調整可能としたことを特徴とするトラクタの耕深制御装置。
【発明の詳細な説明】
【０００１】
【発明の属する技術分野】
本発明は、トラクタ後部に昇降機構を介してロータリー耕耘装置を装着し、該ロータリー耕耘装置のリアカバーをセンサーとして耕深を制御する場合のハンチングを防止するための技術に関する。
【０００２】
【従来の技術】
従来からトラクタ後部の昇降機構にロータリー耕耘装置を装着し、耕耘カバー後部にリアカバーを上下に回動自在に枢支し、該リアカバーに伴われて前後動するロッドを設け、該ロッド端部にプッシュプルワイヤーの一端を締結し、該プッシュプルワイヤーの他端をトラクタ後部に配したリアカバーセンサーに連結し、リアカバーの回動量を検出し、コントローラ等の制御部で昇降手段を制御して耕深制御を行っていた。
【０００３】
前記リアカバーの枢支部などには、ゴムなどの弾性連結部材が配設され、リアカバーを圃場面の小さな凸凹により揺動されないように付勢し、小さな揺動をリアカバーセンサーに伝達しないようにしていた。
【０００４】
更に、前記コントローラにおいては、リアカバーの揺動が微小な変化では昇降動作が行われないように、不感帯が設けられていた。この不感帯の幅は変更可能に構成され、ハンチングが生じ易い場合には不感帯の幅を広げて、ハンチングを抑制するように構成していた。
【０００５】
【発明が解決しようとする課題】
しかし、前記リアカバーの回動を弾性連結部材を用いることによって小さな凸凹に対して揺動しないようにする技術においては、高速耕耘を可能にしたトラクタにおいては、前記弾性連結部材でリアカバーの小さな揺動を十分吸収することができず、リアカバーセンサーに高周波数域の振動として伝達され、昇降手段にハンチングが発生し、制御性能が低下していた。
【０００６】
また、前記不感帯を大きくすると耕深制御性能が低下し、耕土の深さにバラツキができていた。
【０００７】
【課題を解決するための手段】
本発明はこのような問題点を解消するために、次のように構成したものである。
トラクタ後部に昇降自在にロータリ耕耘装置１０を装着し、該ロータリ耕耘装置１０のリアカバー７により耕深を検出し、ロータリ耕耘装置１０を昇降して耕深制御を行う構成において、トラクタの機体後部にフィードバックリンク２３を枢支し、該フィードバックリンク２３に、前記リアカバー７に連接したフィードバックワイヤー２２の他端を連結し、前記フィードバックリンク２３の途中部に連結リンク２４の一端を枢支し、該連結リンク２４の他端にバネ２６を介してリアカバーセンサー１８のセンシングアーム１８ａに枢支し、更に、前記センシングアーム１８ａの先端には、トラクタ側に支持される緩衝部材としてのダンパー２５を連結し、該ダンパー２５の油圧回路中に絞り弁３０を介装し、圃場内の稲株や耕土の硬さに合わせて該絞り弁３０を調整し、ダンパー２５の伸縮動作速度と緩衝する力とを調整可能としたものである。
【０００８】
【発明の実施の形態】
本発明が解決しようとする課題及び解決するための手段は以上の如くであり、次に添付の図面に示した実施例の構成を説明する。
図１は耕深制御が行われるロータリー耕耘装置を装着したトラクタの側面図、図２は本発明の緩衝部材を有する耕深を検出する手段の側面図、図３は本発明のローパスフィルターを有する耕深制御のブロック図、図４はローパスフィルターのカットオフ周波数の特性を示す図である。
【０００９】
図１において、トラクタ後部にアッパーリンクとロアリンクなどより成る昇降リンク機構１が取付けられ、該昇降リンク機構１にロータリ耕耘装置１０が装着される。前記昇降リンク機構１は、昇降シリンダー６によってリフトアーム９が昇降回動され、ロータリ耕耘装置１０が昇降される。該リフトアーム９の回動基部には、ポテンショメータ等より成るリフト角センサー１４が配置され、リフトアーム９の角度からロータリ耕耘装置１０の高さが検出され、該リフト角センサー１４が座席１１下方に配置したコントローラ５に接続されている。
【００１０】
前記トラクタの座席１１の側方に昇降操作レバー１２が配置され、該昇降操作レバー１２基部には、操作位置を検出するポテンショメータ等より成る図示せぬセンサーが配置されている。該センサーで昇降操作レバー１２の操作位置を検出し、昇降シリンダー６の電磁ソレノイドを駆動し、リフトアーム９を回動してロータリ耕耘装置１０を設定高さとなるようにしている。
【００１１】
更に、前記座席１１の側部には、コントロールボックスが配置され、該コントロールボックス内に、耕深設定ダイアル１５と自動耕深モードスイッチ１６が配置され、該耕深設定ダイアル１５及び自動耕深モードスイッチ１６をコントローラ５に接続し、自動制御モードにおける耕深を設定するようにしている。
【００１２】
また、前記ロータリ耕耘装置１０の耕耘爪の回動軌跡上部には耕耘カバー８が配設され、該耕耘カバー８後部にリアカバー７が枢支されている。該耕耘カバー８には、図示せぬブラケットを介して支持板２１が固設され、該支持板２１に前高後低に摺動自在に摺動ロッド２０が支持され、該摺動ロッド２０下部をリアカバー７に枢結し、リアカバー７の回動に伴われて、摺動ロッド２０が摺動するようにしている。該摺動ロッド２０の他端にはフィードバックワイヤー２２が連結され、該フィードバックワイヤー２２がアウターケース内を押し引きされ、リアカバー７の回動をトラクタ後部に配したポテンショメータ等より成るリアカバーセンサー１８に伝達し、耕深伝達手段が形成されている。
【００１３】
また、前記リアカバーセンサー１８はコントローラ５と接続され、図３に示すように、前記コントローラ５には耕深設定ダイアル１５で設定された耕深設定（目標）値が入力される。また、リアカバーセンサー１８で検出した値がコントローラ５にフィードバックされ、耕深設定値と比較演算して、例えば、実際の耕深が耕深設定値よりも浅い場合、リフトアーム９を下降回動して、耕深設定値とリアカバーセンサー１８からの検出値が一致するまで下降させる。
【００１４】
そして、本発明は図２に示すように、トラクタの機体後部にフィードバックリンク２３を枢支し、該フィードバックリンク２３にフィードバックワイヤー２２他端を連結している。
【００１５】
前記フィードバックリンク２３途中部に連結リンク２４の一端が枢支され、該連結リング２４の他端にバネ２６を介してリアカバーセンサー１８のセンシングアーム１８ａに枢支している。
更に、前記センシングアーム１８ａの先端には、トラクタ側に支持される緩衝部材としてのダンパー２５が連結されている。
【００１６】
このような構成において、ロータリー耕耘装置１０で稲株等の連続的な凹凸面がある圃場を高速耕耘すると、リアカバー７は小さな上下揺動が繰り返されいわゆる高周波域の振動が生じる。この高周波域の振動はフィードバックワイヤー２２を介してフィードバックリンク２３に伝えられるが、該フィードバックリンク２３とセンシングアーム１８ａとの間にはコイルバネ２６が介装され、該センシングアーム１８ａと機体との間にはダンパー２５が介装されているので、高周波成分はこのコイルバネ２６とダンパー２５によって緩衝されて、制御に必要な低周波成分のみがセンシングアーム１８ａに伝えられる。
【００１７】
即ち、リアカバーセンサー１８にハンチングの原因となる高周波域の振動が伝達れず、リアカバー７の低周波域のみがリアカバーセンサー１８に伝達され、リアカバーの回動量がコントローラ５にフィードバックされ、ハンチングを起こすことがなく耕深制御が行われる。
【００１８】
なお、前記ダンパー２５内の油圧回路中の絞り弁３０を調整することで、ダンパー２５の伸縮動作速度と、緩衝する力とを調整することができ、圃場内の稲株や耕土の硬さに合わせて調整でき、リアカバー７に働く土塊や稲株などによる外乱による振動を有効に低減することができる。
【００１９】
次に、ハンチングを防止する別構成について説明する。
図３に示すように、ダンパーを設けずに前記リアカバー７の回動変化をリアカバーセンサー１８に伝達し、該リアカバーセンサー１８の出力をローパスフィルター２８を介してコントローラ５にフィードバックするようにしている。但し、ソフトウェアで高周波をカットするようにすることもできる。
【００２０】
前記ローパスフィルター２８は、図４に示す周波数特性を有し、ある周波数（カットオフ周波数ｆｃ）以上の高周波数域において出力を略０とし、カットオフ周波数ｆｃ以下の周波数においては入力信号をそのまま通過させるようにしている。このカットオフ周波数ｆｃ(Hz)は、トラクタの走行速度に応じて変更され、式ｆｃ＝ｖ／Ｌで求められ、ｖは車速(m/s) とし、Ｌは基準長さ(m) としている。Ｌは、ロータリー耕耘装置１０からリアカバー７の接触面までの距離とする。
前記カットオフ周波数ｆｃを演算するための車速ｖは、速度センサー２９（本実施例では車軸に配設され、図１に示す如く、コントローラ５に入力される。）で検出される。また、このカットオフ周波数ｆｃが走行速度に比例した値に随時変更される。
【００２１】
このように構成して、ロータリー耕耘装置１０で小さな凸凹などを有する圃場を高速耕耘した場合、リアカバー７に高周波域の振動が生じ、リアカバーセンサー１８で検出されるが、その信号はローパスフィルター２８で高周波成分がカットされコントローラ５に入力され、ハンチングは生じないのである。
よって、コントローラ５での演算処理は外乱に影響されることなく円滑に演算され、高速耕耘時に耕深制御は精度良く行われ、耕耘後の仕上がりを向上でき、仕上げ後の圃場に田植機による田植え作業を行っても、田植機は軽快にまっすぐ進み、植えられた苗は姿勢が良く、欠株のない田植えができる。
【００２２】
【発明の効果】
以上のように構成したので、本発明は次のような効果を奏するものである。
トラクタ後部に昇降自在にロータリ耕耘装置１０を装着し、該ロータリ耕耘装置１０のリアカバー７により耕深を検出し、ロータリ耕耘装置１０を昇降して耕深制御を行う構成において、トラクタの機体後部にフィードバックリンク２３を枢支し、該フィードバックリンク２３に、前記リアカバー７に連接したフィードバックワイヤー２２の他端を連結し、前記フィードバックリンク２３の途中部に連結リンク２４の一端を枢支し、該連結リンク２４の他端にバネ２６を介してリアカバーセンサー１８のセンシングアーム１８ａに枢支し、更に、前記センシングアーム１８ａの先端には、トラクタ側に支持される緩衝部材としてのダンパー２５を連結し、該ダンパー２５の油圧回路中に絞り弁３０を介装し、圃場内の稲株や耕土の硬さに合わせて該絞り弁３０を調整し、ダンパー２５の伸縮動作速度と緩衝する力とを調整可能としたので、ハンチングを発生させる原因となる高周波域の振動をセンシングアームに伝達することなく緩衝部材で緩衝して吸収し、ハンチングを起こすことがなく高精度で耕深制御が行える。
【００２３】
また、前記緩衝部材の緩衝する力を調整可能としたことで、土塊や稲株などによる外乱に合わせて調整でき、外乱による振動を有効に低減することができ、耕深が一定に保たれ、耕耘後の仕上がりが大幅に良くなる。
【図面の簡単な説明】
【図１】  耕深制御が行われるロータリー耕耘装置を装着したトラクタの側面図である。
【図２】  本発明の緩衝部材を有する耕深を検出する手段の側面図である。
【図３】  本発明のローパスフィルターを有する耕深制御のブロック図である。
【図４】  ローパスフィルターのカットオフ周波数の特性を示す図である。
【符号の説明】
１０  ロータリ耕耘装置
１８  リアカバーセンサー（耕深検出手段）
１８ａ  センシングアーム
２５  ダンパー（緩衝部材）
２６  コイルバネ（弾性体）
２８  ローパスフィルター
ｆｃ  カットオフ周波数
【図１】
0003773646.tif 000002
【図２】
0003773646.tif 000003
【図３】
0003773646.tif 000004
【図４】
0003773646.tif 000005